(57)【要約】      （修正有）【課題】卓上に置いて室内の油煙（たとえば焼き物による油煙）を排出し、構造が簡易であり、取り外しが容易であり、清潔が容易になるように取り外し可能に構成される換気扇を提供する。【解決手段】台座１２と、台座に結合された支持ロッド１４と、支持ロッド上端に結合されたカバー１６と、カバー内に収容された抽気機１８と、抽気機１８の頂面に取り外し可能に結合された上蓋２０とを含む。台座１２は、卓上に置かれ、カバー１６内には濾過シートが設けられ、抽気機１８は、弾性耳５６でカバー１６の凹部４８に係入され、取り外し可能に結合されるようになっている。抽気機１８及び上蓋２０は、洗浄が容易になるように、カバー１６内から取り外し可能に設けられている。【選択図】図４
0003190411.tif 000002
【実用新案登録請求の範囲】
【請求項１】
台座と、
下端と上端とを含み、前記下端が前記台座に結合された支持ロッドと、
カバー体と前記カバー体の頂部に位置する環状包囲壁とを含み、前記カバー体の内部に濾過シートが取り付けられ、前記カバー体の後側には接続部が外方へ延在し、前記接続部が前記台座の上端に接続され、前記包囲壁の内表面には少なくとも１つの凹部が設けられているカバーと、
環状の羽根ハウジングを含み、前記羽根ハウジングの内部には羽根が設けられ、前記羽根ハウジングが、前記カバーの包囲壁内に取り外し可能に収容され、その頂部の前記包囲壁後側に対応する後端には少なくとも１つの弾性耳が設けられ、前記弾性耳の底端にはフック部が設けられ、前記フック部が前記周囲壁の凹部内に係入され、前記羽根ハウジングの頂部の後端には少なくとも１つの結合孔が設けられ、前記結合孔には係止ホゾが設けられている抽気機と、
前記抽気機の頂面に取り外し可能に結合され、前側の底面には少なくとも１つの係止耳が設けられ、前記係止耳が前記羽根ハウジングの頂部に係止され、前記上蓋の後側の底面には少なくとも１つの結合片が設けられ、前記結合片には凹槽が設けられ、前記結合片が前記羽根ハウジングの結合孔内に挿入され、前記係止ホゾが前記凹槽内に係止される上蓋と、
を備えることを特徴とする換気扇。
【請求項２】
前記係止ホゾの底端には前記結合孔が下方へ延在し、前記係止耳には結合槽が設けられ、前記包囲壁の内表面には前記結合槽内に係入される凸点が設けられていることを特徴とする請求項１に記載の換気扇。
【請求項３】
前記台座の頂面には結合部が設けられ、前記支持ロッドの下端は、前記台座の結合部に枢転可能に結合されていることを特徴とする請求項２に記載の換気扇。
【請求項４】
前記カバーの内部には複数の貫通孔を有する支持板が設けられ、前記カバー内表面には複数の係止耳が設けられ、前記複数の係止耳は、前記支持板の下側に位置し、前記濾過シートの装着に用いられることを特徴とする請求項２に記載の換気扇。
【考案の詳細な説明】
【技術分野】
【０００１】
本考案は、換気扇に関し、特に卓上に置いて使用される換気扇に関するものである。
【背景技術】
【０００２】
焼き物は、焼き物レストランでよく見られるほか、一般の家庭にも受け入れられている。焼きオーブンまたは電磁調理器を卓上に置いて食べ物を焼くことには、使用上の利便性がある。しかしながら、食べ物を焼くことは、熱気や油煙が大量に発生するため、油煙をすぐに排出しなければ、匂いに堪えられないのみならず、長期間にわたって蓄積された油あかが環境を汚染してしまうことがある。焼き物による油煙を排出するために、卓上に置いて使用される油煙フィルターが知られているが、従来の卓上型油煙フィルターの値段が高価であり、しかも整理作業の実施が便利ではなく、特に換気扇の洗浄が容易ではないため、使用寿命が短くなり、一定の時間使用された後、換気の効果が低下することになる。
【考案の概要】
【考案が解決しようとする課題】
【０００３】
そこで、本考案は、卓上に置いて室内の油煙（たとえば焼き物による油煙）を排出し、構造が簡易であり、取り外しが容易であり、清潔が容易になるように取り外し可能に構成される換気扇を提供することを目的とする。
【課題を解決するための手段】
【０００４】
本考案に係る換気扇は、台座と、該台座に結合された支持ロッドと、該支持ロッド上端に結合されたカバーと、該カバー内に収容された抽気機と、該抽気機の頂面に取り外し可能に結合された上蓋とを含む。該台座は、卓上に置かれ、該カバー内には濾過シートが設けられている。該抽気機は、弾性耳で該カバーの凹部に係入され、取り外し可能に結合されることにより、取り外しや組付けが容易に行われるようになっている。
【考案の効果】
【０００５】
本考案に係る換気扇によれば、構造が簡易であり、洗浄のために抽気機が容易に取り外される効果を有する。
【図面の簡単な説明】
【０００６】
【図１】本考案に係る換気扇の立体図を示す。
【図２】図１の換気扇の支持ロッドがカバーから離れる立体図を示す。
【図３】図１の換気扇の一部の素子分解図および一部の拡大図である。
【図４】図１の換気扇の断面図及び一部の拡大図である。
【図５】図１の換気扇の他の断面図及び一部の拡大図である。
【図６】図１の支持ロッドが台座に対して枢転移動する模式図である。
【図７】図１のカバー、抽気機及び上蓋の断面図を示す。
【図８】図７のマーク部分の拡大図である。
【図９】図１の抽気機及び上蓋の立体図を示す。
【考案を実施するための形態】
【０００７】
図１ないし図９は、本考案に係る一実施形態の換気扇１０を示す。換気扇１０は、台座１２と、支持ロッド１４と、カバー１６と、抽気機１８と、上蓋２０とを含む。台座１２は、例えばテーブルである支持物に置かれ、台座１２の頂面には結合部２２が設けられている。支持ロッド１４は、下端２４と上端２６とを含み、下端２４は、結合部２２に枢転可能に結合され、これにより支持ロッド１４は、台座１２に対して傾動可能である（図６参照）。台座１２の上端２６には、係合部２８が設けられている。
【０００８】
カバー１６は、カバー体３０と、カバー体３０の頂部に位置する環状の包囲壁３２とを含み、カバー体３０の内部には吸入口３４が設けられている。カバー体３０の内部には複数の貫通孔３６を有する支持板３８が設けられ、カバー体３０内の表面には複数の係止耳４０が設けられ、該複数の係止耳４０は、支持板３８の下側に位置し、濾過シート（又は濾過網）４２の装着に用いられる。カバー体３０の後側からは、接続部４４が外方へ延在し、接続部４４の内部には接続口４６が設けられ、接続口４６には台座１２の係合部２８が挿入されることで、取り外し可能に接続され、カバー１６が支持ロッド１４によって支持されるようになっている。包囲壁３２の内表面には、抽気機１８と結合するための少なくとも１つの凹部４８が設けられている。この実施形態において、包囲壁３２の後側の内表面には２つの凹部４８が設けられている。包囲壁３２の内表面には上蓋２０と結合するための少なくとも１つの凸点５０が設けられている。この実施形態において、包囲壁３２の前側の内表面には、２つの凸点５０が設けられている。
【０００９】
抽気機１８は、環状の羽根ハウジング５２を含み、羽根ハウジング５２の内部には、モータによって駆動され回転可能な羽根５４が設けられている。羽根ハウジング５２は、包囲壁３２内に取り外し可能に収容され、その頂部５５の包囲壁３２の後側に対応する後端には２つの弾性耳５６が設けられ、各弾性耳５６の底端にはフック５８が設けられており、羽根ハウジング５２が該包囲壁３２内に収容された場合には、該２つの弾性耳５６のフック５８が包囲壁３２の凹部４８に係止結合される（図４参照）。羽根ハウジング５２の頂部５５の後端には２つの結合孔６０が設けられ、各結合孔６０内にはフック状の係止ホゾ６２が設けられ、係止ホゾ６２の底端６４には結合孔６０が下方へ延在している。また、羽根ハウジング５２の後端には電源線が貫通される筒体６５が設けられている。
【００１０】
上蓋２０は、抽気機１８の頂面に取り外し可能に設けられ、複数のノッチ６６を含む。上蓋２０の一側（前側）の底面には２つの係止耳６８が設けられており、上蓋２０が抽気機１８の頂面に蓋着された場合には、各係止耳６８が羽根ハウジング５２の頂部５５に係止される（図９参照）。各係止耳６８が結合槽７０を有し、上蓋２０及び抽気機１８がカバー１６内に収容された場合、該２つの凸点５０が該２つの結合槽７０内に対応して収容される（図５参照）ことで、抽気機１８は、カバー１６内に安定的に取り付け可能である。上蓋２０の他方の一側（後側）の底面には２つの結合片７２が設けられ、各結合片７２の上には凹槽７４が設けられており、上蓋２０が抽気機１８の頂面に蓋着された場合、各結合片７２が対応する結合孔６０内に挿入され、各係止ホゾ６２が凹槽７４内に係止され、係合可能に構成されている（図８参照）。また、上蓋２０の後側の底面には凸片７６が設けられている。
【００１１】
本考案に係る換気扇１０によれば、使用上、台座１２を卓上に置いて羽根５４を起動させ、羽根５４の吸引力により焼き物による油煙を排出し、室内の空気の新鮮さを保つことができる。さらに、換気扇１０の濾過シート４２は、カバー１６内から容易に取り外し可能に設けられている。また、上蓋２０は、洗浄作業のために、抽気機１８に容易に取り外し可能に設けられている。具体的には、包囲壁３２の内部空間に抽気機１８が収容されることで、換気扇１０全体の体積が縮小され、抽気機１８が弾性耳５６で包囲壁３２の凹部４８内に係止されることにより、取り外し可能に結合されるようになっており、上蓋２０及び抽気機１８が取り外され整理が行われる場合には、上蓋２０の凸片７６を捻って弾性耳５６のフック５８を包囲壁３２の凹部４８から離脱させるとともに凸点５０を結合槽７０から離脱させるだけで、上蓋２０及び抽気機１８をカバー１６内から分離させることができる。さらに、上蓋２０は、係止耳６８及び結合片７２により抽気機１８と密接に結合されることで、抽気機１８を単独に洗浄しようとする場合には、係止ホゾ６２の底端６４（図８の矢印参照）を操作するだけで、係止ホゾ６２を結合片７２の凹槽７４から離脱させ、上蓋２０を抽気機１８から離脱させることができる。
【００１２】
上記のように、これらの実施の形態は本考案の好ましい実施例のみであり、本考案の特許請求の範囲に基づいてなされる等価の変更や修飾は、本考案の技術範囲に入るものである。
【００１３】
以上のように、本考案では、台座と、下端と上端とを含み、前記下端が前記台座に結合された支持ロッドと、カバー体と前記カバー体の頂部に位置する環状包囲壁とを含み、前記カバー体の内部に濾過シートが取り付けられ、前記カバー体の後側には接続部が外方へ延在し、前記接続部が前記台座の上端に接続され、前記包囲壁の内表面には少なくとも１つの凹部が設けられているカバーと、環状の羽根ハウジングを含み、前記羽根ハウジングの内部には羽根が設けられ、前記羽根ハウジングが、前記カバーの包囲壁内に取り外し可能に収容され、その頂部の前記包囲壁後側に対応する後端には少なくとも１つの弾性耳が設けられ、前記弾性耳の底端にはフック部が設けられ、前記フック部が前記周囲壁の凹部内に係入され、前記羽根ハウジングの頂部の後端には少なくとも１つの結合孔が設けられ、前記結合孔には係止ホゾが設けられている抽気機と、前記抽気機の頂面に取り外し可能に結合され、前側の底面には少なくとも１つの係止耳が設けられ、前記係止耳が前記羽根ハウジングの頂部に係止され、前記上蓋の後側の底面には少なくとも１つの結合片が設けられ、前記結合片には凹槽が設けられ、前記結合片が前記羽根ハウジングの結合孔内に挿入され、前記係止ホゾが前記凹槽内に係止される上蓋と、を備えることを特徴とする換気扇とするものである。
【００１４】
また、前記係止ホゾの底端には前記結合孔が下方へ延在し、前記係止耳には結合槽が設けられ、前記包囲壁の内表面には前記結合槽内に係入される凸点が設けられているものとする。
【００１５】
また、前記台座の頂面には結合部が設けられ、前記支持ロッドの下端は、前記台座の結合部に枢転可能に結合されているものとする。
【００１６】
また、前記カバーの内部には複数の貫通孔を有する支持板が設けられ、前記カバー内表面には複数の係止耳が設けられ、前記複数の係止耳は、前記支持板の下側に位置し、前記濾過シートの装着に用いられるものとする。
【産業上の利用可能性】
【００１７】
本考案に係る換気扇によれば、構造が簡易であり、洗浄のために抽気機が容易に取り外される効果を有する。
【符号の説明】
【００１８】
１０  換気扇
１２  台座
１４  支持ロッド
１６  カバー
１８  抽気機
２０  上蓋
２２  結合部
２４  下端
２６  上端
２８  係合部
３０  カバー体
３２  包囲壁
３４  吸入口
３６  貫通孔
３８  支持板
４０  係止耳
４２  濾過シート
４４  接続部
４６  接続口
４８  凹部
５０  凸点
５２  羽根ハウジング
５４  羽根
５５  頂部
５６  弾性耳
５８  フック
６０  結合孔
６２  係止ホゾ
６４  底端
６５  筒体
６６  ノッチ
６８  係止耳
７０  結合槽
７２  結合片
７４  凹槽
７６  凸片
【図１】
0003190411.tif 000003
【図２】
0003190411.tif 000004
【図３】
0003190411.tif 000005
【図４】
0003190411.tif 000006
【図５】
0003190411.tif 000007
【図６】
0003190411.tif 000008
【図７】
0003190411.tif 000009
【図８】
0003190411.tif 000010
【図９】
0003190411.tif 000011